(57)【要約】【課題】長期間使用しない場合において電池の浪費を低減することのできるアクティブタグを提供する。【解決手段】アクティブタグ１０は、電池１５０と、ＬＦ受信回路１２０、ＵＨＦ送信回路１４０及び制御回路１１０とが非接続状態である場合において、熱電対で構成された熱電力変換回路１７０が２極間の温度差にて生じる電位差により電力を発生し、スイッチ制御回路１６０が発生された電力で作動してスイッチ１８０を閉じることで電池１５０と、ＬＦ受信回路１２０、ＵＨＦ送信回路１４０及び制御回路１１０とを接続状態にし、接続状態となった以降は電池から供給される電力でＬＦ受信回路１２０、ＵＨＦ送信回路１４０及び制御回路１１０とが動作するよう制御する。【選択図】図１
2012133549.tif 000002
【特許請求の範囲】
【請求項１】
温度差により発電する発電回路と、
電池と無線回路との間の配線路に挿入されたスイッチと、
前記発電部で発生した電力によって前記スイッチの開閉を制御する制御回路とを備える
ことを特徴とするアクティブタグ。
【請求項２】
前記発電回路は、
２極の異なる金属の接続点間に温度差を設けて発電するゼーベック効果を利用した発電体である
ことを特徴とする請求項１に記載のアクティブタグ。
【請求項３】
前記制御回路は、
前記発電回路が発生した電力でスイッチを閉じ、以後その状態を保持する自己保持回路である
ことを特徴とする請求項２の記載のアクティブタグ。
【請求項４】
前記無線回路は、ＬＦ周波数帯で信号を受信する受信回路を含み、
前記受信回路は、前記スイッチが開いた状態である場合には前記発電回路で発生した電力で作動し、
前記制御回路は、前記受信回路が外部装置からスイッチを閉じる旨の命令を受信すると、前記スイッチを閉じる
ことを特徴とする請求項３に記載のアクティブタグ。
【請求項５】
前記スイッチが閉じた状態では、前記制御部は前記電池からの電力で作動しており、
前記スイッチが閉じた状態において、前記受信回路が前記外部装置からスイッチを開く旨の命令を受信すると、
前記制御回路は、前記スイッチを開いて、前記電池と前記無線回路とを非接続の状態とする
ことを特徴とする請求項４に記載のアクティブタグ。
【発明の詳細な説明】
【技術分野】
【０００１】
本発明は、アクティブタグに関し、特に、内蔵電池の長寿命化に関するものである。
【背景技術】
【０００２】
従来から、部屋への入退出管理を行う個人認証システムとして、アクティブタグと、当該アクティブタグから送信される信号を受信して所有者の認証を行うリーダとから構成されているものがある。
【０００３】
この個人認証システムを構成するアクティブタグは、常時、内蔵電池（以下、電池という。）からの電力供給を受けている。この電池は、タグ内に埋設されていて容易に交換することができないので、電池の寿命がタグの寿命に直結する。そのため、電池の長寿命化が強く要望されている。
【０００４】
電池の長寿命化を図るための技術が、特許文献１に開示されている。特許文献１では、アクティブタグがリーダと通信を行わない場合には、リーダとの通信の開始、終了を制御するための制御信号を受信する受信回路だけを駆動させ、他の回路を停止させておくことで電池の消費電力の低減を図っている。
【先行技術文献】
【特許文献】
【０００５】
【特許文献１】特開２００６−７２７０６号公報
【発明の概要】
【発明が解決しようとする課題】
【０００６】
ところで、通常、アクティブタグは、製造が完了した状態において、送受信回路が電池に電気的に接続されている。そのため、製造直後から電池から送受信回路に電力供給が継続されている。
【０００７】
つまり、製造後出荷までの間のように長時間使用しない状態であっても、電池の電力を消費してしまうこととなる。
本発明は、上記問題に鑑みてなされたものであり、長期間使用しない場合において電池の浪費を抑制することのできるアクティブタグを提供することを目的とする。
【課題を解決するための手段】
【０００８】
上記目的を達成するために、本発明は、アクティブタグであって、温度差により発電する発電回路と、電池と無線回路との間の配線路に挿入されたスイッチと、前記発電部で発生した電力によって前記スイッチの開閉を制御する制御回路とを備えることを特徴とする。
【発明の効果】
【０００９】
上記に示す構成によると、アクティブタグは、発電回路が発生した電力によりスイッチの開閉が制御されるので、長時間使用しない場合にはスイッチを開いておけば、発電回路において温度差が生じない限り、スイッチが閉じないので、長期間使用しないで放置しても電池の浪費を抑制することができる。
【００１０】
ここで、前記発電回路は、２極の異なる金属の接続点間に温度差を設けて発電するゼーベック効果を利用した発電体であるとしてもよい。
この構成によると、アクティブタグは、２極間の電位差により電力を発生させることができる。
【００１１】
ここで、前記制御回路は、前記発電回路が発生した電力でスイッチを閉じ、以後その状態を保持する自己保持回路であるとしてもよい。
この構成によると、アクティブタグは、スイッチを閉じた状態を保持することができる。
【００１２】
ここで、前記無線回路は、ＬＦ周波数帯で信号を受信する受信回路を含み、前記受信回路は、前記スイッチが開いた状態である場合には前記発電回路で発生した電力で作動し、前記制御回路は、前記受信回路が外部装置からスイッチを閉じる旨の命令を受信すると、前記スイッチを閉じるとしてもよい。
【００１３】
この構成によると、アクティブタグの受信回路は、スイッチが開いた状態である場合には発電部で発生した電力で動作する。また、受信回路が発電回路の電力で作動した際に外部装置からのスイッチを閉じる旨の命令を受信することで、スイッチを閉じる。これにより、アクティブタグは、発電部で電力が発生した場合であっても、外部装置から命令を受信しない限りはスイッチを閉じないので、誤って熱エネルギーを与えてしまってもスイッチが閉じることはない。つまり、アクティブタグは、誤操作による電池の浪費をも防ぐことができる。
【００１４】
ここで、前記スイッチが閉じた状態では、前記制御部は前記電池からの電力で作動しており、前記スイッチが閉じた状態において、前記受信回路が前記外部装置からスイッチを開く旨の命令を受信すると、前記制御回路は、前記スイッチを開いて、前記電池と前記無線回路とを非接続の状態とするとしてもよい。
【００１５】
この構成によると、アクティブタグの制御回路は、外部装置からスイッチを開く旨の命令を受信すると、スイッチを開く。これにより、アクティブタグを再度長時間使用しない場合には、電池と無線回路とを非接続の状態とするので、さらなる電池の浪費を防ぐことができる。
【図面の簡単な説明】
【００１６】
【図１】アクティブタグ１０とリーダ２０とを含む個人認証システム１の構成を示すブロック図である。
【図２】アクティブタグ１０の概略斜視図である。
【図３】熱電力変換回路１７０の構成を示す図である。
【図４】スイッチ制御回路１６０及びスイッチ１８０の構成を示す図である。
【図５】起動信号３００、識別信号３１０及びスイッチオフ信号３２０のデータ構造の一例を示す図である。
【図６】アクティブタグ１０の動作を示す流れ図である。
【図７】個人認証システム１の動作を示す流れ図である。
【図８】アクティブタグ１１００とリーダ１２００とを含む個人認証システム２の構成を示すブロック図である。
【図９】スイッチオン信号１３００のデータ構造の一例を示す図である。
【図１０】アクティブタグ１１００の動作を示す流れ図である。
【図１１】個人認証システム２の動作を示す流れ図である。
【図１２】アクティブタグ２１００とリーダ２２００とを含む個人認証システム３の構成を示すブロック図である。
【図１３】アクティブタグ２１００の動作を示す流れ図である。
【図１４】個人認証システム３の動作を示す流れ図である。
【発明を実施するための形態】
【００１７】
１．第１の実施の形態
１．１  概要
本実施の形態に係るアクティブタグ１０は、リーダ２０とともに、部屋への入退出管理を行う個人認証システム１の一部を構成する。このアクティブタグ１０は、リーダ２０に対して自装置のＩＤ番号に関する情報を含む識別信号を送信する機能を有している。一方、リーダ２０は、アクティブタグ１０から送信された識別信号を受信してアクティブタグ１０の所有者の認証を行う機能を有している。
【００１８】
アクティブタグ１０は、電池１５０とＬＦ受信回路２２０との間に外部から熱が加わると接続状態となるスイッチ１８０が設けられている。
このスイッチ１８０を製造終了時点で、非接続としておくことで、実際に使用されるまでの間における電池の消耗を抑制できるという特徴がある。スイッチ１８０は、光ＭＯＳリレーにより構成されており、製造後、外部から熱を加えて光ＭＯＳリレーの一部を構成する発行ダイオードを点灯させない限りオンすることがない。
【００１９】
１．２  構成
以下、本実施の形態に係るアクティブタグ１０を含んで構成される個人認証システム１の概略を図１に示す。
【００２０】
個人認証システム１は、図１に示すように、アクティブタグ１０とリーダ２０とから構成される。
（１）アクティブタグ１０
アクティブタグ１０は、図１に示すように、制御回路１１０と、ＬＦ受信回路１２０と、ＵＨＦ送信回路１４０と、電池１５０と、スイッチ制御回路１６０と、熱電力変換回路１７０と、スイッチ１８０とを含んで構成される。
【００２１】
また、アクティブタグ１０は、図２に示すように、外観が矩形状をしている。そして、その内部には、各回路が配置された回路基板１００と電池１５０とが収納されている。また、回路基板１００からは、後述する熱電力変換回路１７０の一部を構成する測温端子１７１ａが延出している。
【００２２】
なお、アクティブタグ１０は、リーダ２０からのＬＦ信号を受信するアンテナＡ１１として、３つの独立したコイル（図示せず）を互いに直交する形で配置してなる３軸構成のアンテナを備えている。これは、アクティブタグ１０のリーダ２０に対する向きによって受信感度が大きく変動するのを抑制するためである。
【００２３】
また、リーダ２０にＵＨＦ信号を送信するためのアンテナＡ１２として、近くに人体があっても送信特性への影響が少ない微小ループアンテナを使用している。
（１−１）ＬＦ受信回路１２０
ＬＦ受信回路１２０は、リーダ２０から受信したＬＦ信号に対して誤り検出を行った後、当該ＬＦ信号に起動信号を示す起動パターンＷＡＫＥやスイッチオフ信号を示すスイッチオフパターンＤＯＦＦが存在するか否かを確認する起動制御部１２１を有する。
【００２４】
起動制御部１２１は、ＬＦ信号の中に起動パターンＷＡＫＥ（図５（ａ）参照）が存在すると認識すると、受信したＬＦ信号が起動信号であると認識し、制御回路１１０及びＵＨＦ送信回路１４０を起動する。そして、起動制御部１２１は、更に、起動信号の中からリーダ２０のＩＤ番号の情報を抽出して制御回路１１０に出力する。そして、起動制御部１２１は、ＵＨＦ送信回路１４０による識別信号の送信が完了すると、再び、制御回路１１０及びＵＨＦ送信回路１４０を停止する。これにより、アクティブタグ１０全体の消費電力の低減を図っている。
【００２５】
また、起動制御部１２１は、ＬＦ信号の中にスイッチオフパターンＤＯＦＦ（図５（ｂ）参照）が存在すると認識すると、ＬＦ信号がスイッチオフ信号であると認識し、スイッチ制御回路１６０に対して配線Ｌｏｆｆを介して電圧を入力する。
【００２６】
（１−２）ＵＨＦ送信回路１４０
ＵＨＦ送信回路１４０は、ＵＨＦ帯の識別信号をアンテナＡ１２を介してリーダ２０へＵＨＦ信号を送信する。ＵＨＦ送信回路１４０は従来技術と同様であるので、ここでの説明は省略する。
【００２７】
（１−３）制御回路１１０
制御回路１１０は、ＣＰＵ及びメモリ（図示せず）を備え、ＬＦ受信回路１２０及びＵＨＦ送信回路１４０の制御を行う。
【００２８】
制御回路１１０は、アクティブタグ１０のＩＤ番号等の識別情報を示す信号を生成してＵＨＦ送信回路１４０へ出力する機能をも有する。
（１−４）熱電力変換回路１７０
熱電力変換回路１７０は、熱電対１７１とコンデンサ１７２とで構成され、２極間の温度差により起電力を発生するものである。
【００２９】
熱電力変換回路１７０の熱電対１７１は、図３に示すように、異なる材質の２本の金属線１７３、１７４と、温度を測定する測温端子１７１ａとを有している。金属線１７３、１７４それぞれの一の端部は測温端子１７１ａと接続されており、金属線１７３、１７４それぞれの他の端部は、開放端１７３ａ、１７４ａであり、熱電対における基準接点１７１ｂを構成している。
【００３０】
基準接点１７１ｂを構成する開放端１７３ａ、１７４ａは、コンデンサ１７２及びスイッチ制御回路１６０と接続されている。
測温端子１７１ａが指等で温められると、測温端子１７１ａの温度が上昇し、基準接点１７１ｂの各開放端１７３ａ、１７４ａとの温度差が生じる。そうすると、ゼーベック効果により熱電対１７１に起電力が生じて、コンデンサ１７２に蓄電され、蓄電された電力がスイッチ制御回路１６０に供給される。
【００３１】
（１−５）スイッチ１８０
スイッチ１８０について、図１及び図４を用いて説明する。
スイッチ１８０は、光ＭＯＳリレーにより構成され、電池１５０と制御回路１１０、ＬＦ受信回路１２０及びＵＨＦ送信回路１４０とを接続する配線路Ｌ１に挿入され、電池１５０から制御回路１１０等への電力供給をオンオフする。このスイッチ１８０は、製造完了時点では開いた状態となっている。
【００３２】
スイッチ１８０は、図４に示すように、入力端子Ｔｅ２１、Ｔｅ２２間に接続された発光ダイオードＬＥＤと、発光ダイオードＬＥＤの光を受光すると起電力を発生するフォトダイオードを複数個直列に接続してなる光電変換素子ＰＤと、光電変換素子ＰＤの高電位側にゲートが接続され且つ低電位側にソースが接続されたＭＯＳＦＥＴからなるトランジスタＴｒ２と、トランジスタＴｒ２のゲートとドレインとの間に接続されたコンデンサＣ２と抵抗Ｒ２との直列回路とから構成される。そして、トランジスタＴr２のドレインとソースそれぞれが、スイッチ１８０の出力端子Ｔｅ２３、Ｔｅ２４に接続されている。このスイッチ１８０は、スイッチ制御回路１６０から発光ダイオードＬＥＤに電圧が入力されると、トランジスタＴｒ２がターンオンすることにより出力端子Ｔｅ２３、Ｔｅ２４間が導通状態となる（スイッチ１８０がオン状態）。また、スイッチ１８０は、スイッチ制御回路１６０からの電圧入力がなくなるとオフ状態で維持される。
【００３３】
（１−６）スイッチ制御回路１６０
スイッチ制御回路１６０は、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）により構成されている。具体的には、スイッチ制御回路１６０は、図４に示すように、熱電力変換回路１７０に接続される入力端子Ｔｅ１１、Ｔｅ１２それぞれがゲート及びソースに接続されたＭＯＳＦＥＴからなるトランジスタＴｒ１と、トランジスタＴｒ１のゲート−ソース間に接続されたコンデンサＣ１と抵抗Ｒ１とからなる直列回路と、スイッチ制御回路１６０の高電位側の入力端子と直列回路の高電位側との間に介挿されたダイオードＤとを備える。そして、トランジスタＴr１のゲート及びドレインそれぞれが、出力端子Ｔｅ１４、Ｔｅ１５に接続されている。また、スイッチ１８０の一部を構成するトランジスタＴｒ２のソースとトランジスタＴｒ１のゲートとがゲートターンオフ型サイリスタＧＴＯを介して電気的に接続されている。このゲートターンオフ型サイリスタＧＴＯのゲートは、入力端子Ｔｅ１３に接続されている。
【００３４】
スイッチ制御回路１６０は、熱電力変換回路１７０から入力される電圧により一旦スイッチ１８０をオンさせると、電池１５０から入力される電圧をスイッチ１８０に印加し続ける。つまり、スイッチ制御回路１６０は、熱電力変換回路１７０が発生した電力でスイッチ１８０を閉じ、以後その状態を保持する自己保持回路を形成している。
【００３５】
一方、スイッチ１８０がオン状態において、ＬＦ受信回路１２０がスイッチオフ信号を受信すると、ＬＦ受信回路１２０から、信号線Ｌｏｆｆを介して入力端子Ｔｅ１３に負電圧が入力される。このとき、ゲートターンオフ型サイリスタＧＴＯは、ターンオフし、スイッチ１８０への電圧入力が停止してスイッチ１８０がオフ状態となる。ここで、上述した配線Ｌｏｆｆは、端子Ｔｅ１２と接続される接続線と、端子Ｔｅ１３と接続される接続線とからなる。
【００３６】
（２）リーダ２０
リーダ２０は、入室が制限された部屋の出入り口等に設置され、アクティブタグ１０から当該アクティブタグ１０自身のＩＤ番号に関する情報を含むＵＨＦ周波数帯（ＵＨＦ帯、例えば、４２６ＭＨｚ帯）の識別信号を受信すると、受信したＩＤ番号を照合して、アクティブタグ１０の所有者の入室を許可できるかどうかを判別する認証処理を行う。
【００３７】
また、リーダ２０は、アクティブタグ１０に対してＵＨＦ送信回路１４０及び制御回路１１０を起動させるために、ＬＦ周波数帯（ＬＦ帯、例えば、１３５ＭＨｚ帯）の起動信号を送信する機能や、接続状態にあるスイッチ１８０を非接続状態にするためのＬＦ帯のスイッチオフ信号を送信する機能をも有する。
【００３８】
リーダ２０は、図１に示すように、制御回路２１０と、ＬＦ送信回路２２０と、ＵＨＦ受信回路２３０とを含んでいる。
（２−１）ＬＦ送信回路２２０
ＬＦ送信回路２２０は、アンテナＡ１１を介してアクティブタグ１０に起動信号を送信する。
【００３９】
また、ＬＦ送信回路２２０は、アンテナＡ１１を介してアクティブタグ１０にスイッチオフ信号を送信する。
（２−２）ＵＨＦ受信回路２３０
ＵＨＦ受信回路２３０は、アクティブタグ１０から発信され、アンテナＡ２２を介してアクティブタグ１０から受信したＵＨＦ信号を復調して得られたＩＤ番号を含む識別信号を制御回路２１０に入力する。
【００４０】
（２−３）制御回路２１０
制御回路２１０は、ＣＰＵ及びメモリ（図示せず）を備え、ＬＦ送信回路２２０及びＵＨＦ受信回路２３０を制御する。
【００４１】
制御回路２１０は、アクティブタグ１０を起動させるための起動信号を生成し、ＬＦ送信回路２２０に入力する。また、制御回路２１０は、ＵＨＦ受信回路２３０からアクティブタグ１０のＩＤ番号に関する情報を含む識別信号が入力されると、認証処理を行った後、認証処理で得られたデータを、リーダ２０に接続された上位装置（例えば、ＩＤ番号を管理するサーバ等）に送信する。
【００４２】
また、リーダ２０には、アクティブタグ１０にスイッチオフ信号を送信するときにユーザが操作する操作ボタン（図示せず）が設けられている。そして、ユーザがこの操作ボタンを押下すると、ＬＦ送信回路２２０がスイッチ１８０を開く旨の命令を内容とするスイッチオフ信号を送信する。
【００４３】
１．３  信号のデータ構造
以下、本実施の形態に係る個人認証システム１で用いられる起動信号３００、識別信号３１０及びスイッチオフ信号３２０のデータ構造について、図５を用いて説明する。
【００４４】
（１）起動信号３００
起動信号３００は、図５（ａ）に示すように、プリアンブル（ＰＲ）３０１と、ユニークワード（ＵＷ）３０２と、起動パターン（ＷＡＫＥ）３０３と、リーダ２０のＩＤ番号からなる識別情報（ＩＤ１）３０４と、誤り検出符号（ＣＲＣ）３０５とから構成される。
【００４５】
ここで、プリアンブル３０１は、起動信号の始まりを示すビット列（同期符号）であり、ユニークワード３０２は、いわゆるフレーム同期信号である。また、誤り検出符号３０５は、アクティブタグ１０側で受信した起動信号に誤りが発生しているか否かを検出するためのビット列である。そして、起動パターン（ＷＡＫＥ）３０３は、ＬＦ信号が起動信号であることを識別するためのビット列のパターンある。なお、リーダ２０の識別情報（ＩＤ１）３０４は、リーダ２０の制御回路２１０に含まれるメモリ（図示せず）に予め記憶されている。
【００４６】
（２）識別信号
識別信号３１０は、図５（ｂ）に示すように、プリアンブル（ＰＲ）３１１と、ユニークワード（ＵＷ）３１２と、リーダ２０のＩＤ番号からなる識別情報（ＩＤ１）３１３と、アクティブタグ１０のＩＤ番号からなる識別情報（ＩＤ２）３１４と、誤り検出符号（ＣＲＣ）３１５とから構成される。
【００４７】
識別情報（ＩＤ１）３１３は、アクティブタグ１０から発信された識別信号を受信したリーダ２０が、受信した識別信号が自装置宛ての信号か否かを判別するために用いられる。また、識別情報（ＩＤ２）３１４は、リーダ２０が自装置宛てに送信された識別信号がどのアクティブタグ１０から送信されたものかを識別するために用いられる。
【００４８】
ここで、プリアンブル（ＰＲ）３１１は、識別信号の始まりを示すビット列（同期符号）であり、ユニークワード（ＵＷ）３１２は、いわゆるフレーム同期信号である。また、誤り検出符号（ＣＲＣ）３１５は、リーダ２０側で受信した識別信号に誤りが発生しているか否かを検出するためのビット列である。なお、識別情報（ＩＤ２）３１４は、アクティブタグ１０の制御回路１１０に含まれるメモリ（図示せず）に予め記憶されている。
【００４９】
（３）スイッチオフ信号
スイッチオフ信号３２０は、図５（ｃ）に示すように、図５（ａ）と略同じ構成であり、起動パターン３０３の代わりに電源オフパターン（ＤＯＦＦ）３２３を含んで構成される点のみが相違する。電源オフパターン（ＤＯＦＦ）３２３は、ＬＦ信号がスイッチ制御回路１６０にスイッチ１８０をオフさせるためのスイッチオフ信号であることを識別するためのものである。
【００５０】
１．４  動作
本実施の形態に係るアクティブタグ１０の動作について図６及び図７に基づいて説明する。
【００５１】
まず、アクティブタグ１０は、製造が完了した時点ではスイッチ１８０はオフ状態となっている。
（１）アクティブタグ１０の動作
以下、図６に示す流れ図を用いて、アクティブタグ１０の動作について説明する。
【００５２】
熱電力変換回路１７０からスイッチ制御回路１６０に電圧が入力されると、スイッチ制御回路１６０のトランジスタＴｒがターンオンし、スイッチ制御回路１６０からスイッチ１８０へ電圧が入力され（ステップＳ１）、スイッチ１８０がオンする（ステップＳ２）。このとき、電池１５０から供給される電力によりＬＦ受信回路１２０だけが起動する（ステップＳ３）。
【００５３】
そして、ＬＦ受信回路１２０は、リーダ２０からアンテナＡ１１を介してＬＦ信号をいつでも受信できる状態で待機する（ステップＳ４）。
ＬＦ信号を受信した場合（ステップＳ４における「Ｙｅｓ」）、ＬＦ受信回路１２０の起動制御部１２１は、受信したＬＦ信号が起動信号である否かを判断する（ステップＳ５）。具体的には、起動制御部１２１は、受信したＬＦ信号に起動パターンＷＡＫＥが存在するか否かを判断する。
【００５４】
ＬＦ信号が起動信号であると判断する場合（ステップＳ５における「Ｙｅｓ」）、起動制御部１２１は、制御回路１１０及びＵＨＦ送信回路１４０を起動する（ステップＳ６）。
【００５５】
続いて、制御回路１１０は、アクティブタグ１０の識別情報をＵＨＦ送信回路１４０に入力する。ＵＨＦ送信回路１４０は、入力された識別情報を用いて変調したＵＨＦ帯の識別信号をリーダ２０に送信する（ステップＳ７）。
【００５６】
ＵＨＦ送信回路１４０は、ＵＨＦ信号の送信が完了すると、送信完了信号を起動制御部１２１に入力する。そして、起動制御部１２１は、送信完了信号が入力されると、制御回路１１０及びＵＨＦ送信回路１４０を再び停止させる（ステップＳ８）。その後、処理は、ステップＳ４に移行する。
【００５７】
一方、ＬＦ信号が起動信号でないと判断する場合（ステップＳ５における「Ｎｏ」）、起動制御部１２１は、受信したＬＦ信号がスイッチオフ信号であるか否かを判断する（ステップＳ９）。具体的には、起動制御部１２１は、受信したＬＦ信号にスイッチオフパターンＤＯＦＦが存在するか否かを判断する。
【００５８】
ＬＦ信号がスイッチオフ信号でないと判断する場合（ステップＳ９における「Ｎｏ」）、処理は、ステップＳ４に移行する。
一方、ＬＦ信号がスイッチオフ信号であると判断する場合（ステップＳ９における「Ｙｅｓ」）、起動制御部１２１は、スイッチ制御回路１６０に電圧を入力する。そして、スイッチ制御回路１６０は、スイッチ１８０への電圧入力を停止することによりスイッチ１８０をオフにする（ステップＳ１０）。
【００５９】
（２）個人認証システム１の動作
ここでは、個人認証システム１の動作概要について、図７に示す流れ図を用いて説明する。
【００６０】
アクティブタグ１０は、製造完了時から熱が加えられるまでの間、スイッチ１８０はオフの状態となっている。
アクティブタグ１０に熱が加えられると、図６に示すステップＳ１、Ｓ２の動作により、スイッチ１８０はオンとなる（Ｔ１）。
【００６１】
そして、図６に示すステップＳ３の動作により、ＬＦ受信回路１２０が起動する（Ｔ２）。
ここで、リーダ２０は、ＬＦ帯の起動信号を生成するとともに、常にアンテナＡ２１を介して外部に当該起動信号を送出している（Ｔ２１）。このとき、アクティブタグ１０の所持者が、リーダ２０からのＬＦ信号の到達範囲内に侵入すると、ＬＦ受信回路１２０が、起動信号を受信する。
【００６２】
アクティブタグ１０のＬＦ受信回路１２０が起動信号を受信すると、図６に示すステップＳ４からＳ６の動作により、制御回路１１０及びＵＨＦ送信回路１４０が起動される（Ｔ３）。
【００６３】
アクティブタグ１０は、図６に示すステップＳ７の動作により、識別信号をアンテナＡ１１を介して外部（リーダ２０）に送信する。そして、送信が完了すると、図６に示すステップＳ８の動作により、制御回路１１０及びＵＨＦ送信回路１４０が停止される（Ｔ４）。
【００６４】
また、リーダ２０では、識別信号を受信すると、認証処理を行う（Ｔ２２）。そして、認証に成功すると、アクティブタグ１０の所持者が入室を許可できる者であると特定して、ドアを開ける。認証に失敗すると、アクティブタグ１０の所持者が入室を許可できる者ではないと特定して、ドアを閉めたままの状態にする。
【００６５】
その後、ユーザ操作により、リーダ２０は、スイッチオフ信号を生成し、アンテナＡ２１を介して外部に送信する（Ｔ２３）。
アクティブタグ１０は、スイッチオフ信号を受信すると、図６に示すステップＳ９、Ｓ１０の動作により、スイッチ１８０がオフの状態になる（Ｔ５）。
【００６６】
１．５  まとめ
以上によると、本実施の形態に係るアクティブタグ１０は、製造終了の段階で、スイッチ１８０をオフ状態としておけば、製造が完了してからアクティブタグ１０に熱が加えられるまでの間、スイッチ１８０をオフ状態で維持することができる。
【００６７】
例えば、アクティブタグ１０の製造後、倉庫に保管しておき、アクティブタグ１０を実際に使用するときにアクティブタグ１０に熱を印加することで、スイッチ１８０をオンさせることが可能となる。これにより、アクティブタグ１０を長期間放置しても電池の消耗を抑制できるという利点がある。
【００６８】
また、本実施の形態に係るアクティブタグ１０は、ＬＦ受信回路１２０でスイッチ１８０をオフにする指示を内容とするスイッチオフ信号を受信すると、スイッチ制御回路１６０がスイッチ１８０をオフする。これにより、スイッチ１８０をオンにした後においても、アクティブタグ１０を使用しない場合にスイッチ１８０をオフにしておくことができるので、電池１５０の消耗を更に抑制することができる。
【００６９】
２．第２の実施の形態
２．１  概要
本実施の形態に係るアクティブタグ１１００では、当該アクティブタグ１１００に熱が加わっても、外部（リーダ１２００）からスイッチ１８０をオンにする指示を内容とするスイッチオン信号を受信するまでの間はスイッチ１８０をオフ状態で維持する。これにより、意図しない熱がアクティブタグ１１００に加わってしまって場合であっても、電池の消耗を抑制することができる。
【００７０】
２．２  構成
以下、本実施の形態に係るアクティブタグ１１００を含んで構成される個人認証システム２の概略を図８に示す。以下の説明において、第１の実施の形態と同様の構成要素については、同一の符号を付し、その説明を省略する。
【００７１】
個人認証システム２は、図８に示すように、アクティブタグ１１００とリーダ１２００とから構成される。ここで、リーダ１２００は、第１の実施の形態と同様に、起動信号及びスイッチオフ信号を発信する。さらに、リーダ１２００は、上述したスイッチオン信号をＬＦ帯で発信する。また、アクティブタグ１１００は、第１の実施の形態で示すアクティブタグ１０と同様に、起動信号を受信すると識別信号を送信し、スイッチオフ信号を受信するとスイッチ１８０をオフの状態にする。さらに、アクティブタグ１１００は、スイッチがオフの状態であって熱により電圧が発生しているときに、スイッチオン信号を受信するとスイッチをオンの状態にする。
【００７２】
なお、リーダ１２００は、第１の実施の形態に示すリーダ２０と同様に、壁などに設置され電力は外部電源（図示せず）から供給されている。また、アクティブタグ１１００は、内蔵する電池１５０を電源とする。
【００７３】
（１）アクティブタグ１１００
アクティブタグ１１００は、図８に示すように、制御回路１１１０と、ＬＦ受信回路１１２０と、ＵＨＦ送信回路１４０と、電池１５０と、熱電力変換回路１１７０と、スイッチ１８０とを含んでいる。
【００７４】
以下、第１の実施の形態とは異なる制御回路１１１０と、ＬＦ受信回路１１２０と、熱電力変換回路１１７０とについて説明する。
（１−１）熱電力変換回路１１７０
熱電力変換回路１１７０は、第１の実施の形態で示す熱電力変換回路１７０と同様に、熱電対とコンデンサとで構成されている。
【００７５】
第１の実施の形態と異なる点は、電圧の入力先、つまり電力の供給先であり、熱電力変換回路１１７０により発生した起電力は、ＬＦ受信回路１１２０及び制御回路１１１０に供給される。
【００７６】
したがって、アクティブタグ１１００に熱が加えられることによりＬＦ受信回路１１２０及び制御回路１１１０が起動されることとなる。
（１−２）ＬＦ受信回路１１２０
ＬＦ受信回路１１２０は、リーダ１２００から送信されるＬＦ信号を受信する。ここで、ＬＦ受信回路１１２０は、アンテナＡ１１を介してリーダ１２００から受信したＬＦ信号を復調して起動信号やスイッチオフ信号やスイッチオン信号を取得する。
【００７７】
ＬＦ受信回路１１２０は、図８に示すように、起動制御部１１２１を含んで構成されている。
起動制御部１１２１は、取得したＬＦ信号に対して誤まり検出処理が行われた後に、当該ＬＦ信号の中に起動信号を示す起動パターンＷＡＫＥやスイッチオフ信号を示すスイッチオフパターンＤＯＦＦやスイッチオン信号を示すスイッチオンパターンＤＯＮが存在するか否かを確認するものである。
【００７８】
ここで、起動制御部１１２１は、ＬＦ信号の中に起動パターンＷＡＫＥが存在すると認識した場合には、第１の実施の形態と同様の動作を行う。
また、起動制御部１１２１は、ＬＦ信号の中にスイッチオフパターンＤＯＦＦが存在すると認識すると、ＬＦ信号がスイッチオフ信号であると認識し、制御回路１１１０に対してスイッチオフコマンドを通知する。
【００７９】
起動制御部１１２１は、アクティブタグ１１００に熱が加わり、ＬＦ受信回路１１２０及び制御回路１１１０が起動した後、スイッチオン信号を受信すると、スイッチオンコマンドを制御回路１１１０へ通知する。
【００８０】
（１−３）制御回路１１１０
制御回路１１１０は、第１の実施の形態で示す制御回路１１０と、スイッチ制御回路１６０とを備えたものである。
【００８１】
具体的には、制御回路１１１０は、以下の機能を有する。
制御回路１１１０は、ＣＰＵ及びメモリ（図示せず）を備え、ＬＦ受信回路１１２０及びＵＨＦ送信回路１４０の制御を行う。
【００８２】
制御回路１１１０は、起動制御部１１２１で抽出されたリーダ２０のＩＤ番号の情報を受け取ると、アクティブタグ１１００のＩＤ番号等の識別情報を示す信号を生成してＵＨＦ送信回路１４０へ出力する。
【００８３】
制御回路１１１０は、識別信号の送信を完了すると、送信完了信号を起動制御部１１２１に通知する。
また、制御回路１１１０は、熱電力変換回路１１７０から出力される電圧をそのままスイッチ１８０に入力する。また、制御回路１１１０は、スイッチ１８０がオンすると電池１５０からの電圧が入力されるように構成されており、電池１５０から電圧が入力されると降圧してからスイッチ１８０に入力する降圧回路（図示せず）を備えている。そして、制御回路１１１０は、熱電力変換回路１１７０から入力される電圧により一旦スイッチ１８０をオンにすると、電池１５０から入力される電圧を降圧してスイッチ１８０に入力し続ける。
【００８４】
また、制御回路１１１０は、ＬＦ受信回路１１２０の起動制御部１１２１からスイッチオフコマンドが通知されると、スイッチ１８０への電圧入力を停止してスイッチ１８０をオフ状態にする。
【００８５】
さらに、制御回路１１１０は、起動制御部１１２１からスイッチオンコマンドが通知されると、熱電力変換回路１１７０から出力される電圧をスイッチ１８０に入力する。
（２）リーダ１２００
リーダ２０は、図８に示すように、制御回路１２１０と、ＬＦ送信回路１２２０と、ＵＨＦ受信回路２３０とを含んで構成される。
【００８６】
以下、第１の実施の形態とは異なる制御回路１２１０と、ＬＦ送信回路１２２０について説明する。
（２−１）ＬＦ送信回路１２２０
ＬＦ送信回路１２２０は、第１の実施の形態で示すＬＦ送信回路２２０が有する機能に加えて、以下の機能をも有する。
【００８７】
ＬＦ送信回路１２２０は、制御回路１２１０から入力されるスイッチオン信号を用いて変調したＬＦ信号をアンテナＡ１１を介してアクティブタグ１１００に送信する。
（２−２）制御回路１２１０
制御回路１２１０は、ＣＰＵ及びメモリ（図示せず）を備え、ＬＦ送信回路１２２０及びＵＨＦ受信回路２３０を制御する。
【００８８】
制御回路１２１０は、第１の実施の形態で示す制御回路２１０が有する機能に加えて、以下の機能をも有する。
制御回路１２１０は、アクティブタグ１１００が備えるスイッチ１８０をオンにするためのＬＦ帯のスイッチオン信号を送信する機能を有する。ここにおいて、ユーザがリーダ１２００に対して所定の操作を行うと、ＬＦ送信回路１２２０を介して、スイッチオン信号を送信する。
【００８９】
２．３  信号のデータ構造
以下、本実施の形態で用いられるスイッチをオンにする指示を内容とするスイッチオン信号のデータ構造について、図９を用いて説明する。なお、本実施の形態に係る個人認証システム２においても起動信号３００、識別信号３１０及びスイッチオフ信号３２０を使用するが、これらの信号は第１の実施の形態と同様なので説明を省略する。
【００９０】
スイッチオン信号１３００は、図９に示すように、プリアンブル（ＰＲ）１３０１と、ユニークワード（ＵＷ）１３０２と、スイッチオンパターン（ＤＯＮ）１３０３と、リーダ１２００のＩＤ番号からなる識別情報（ＩＤ１）１３０４と、誤り検出符号（ＣＲＣ）１３０５とから構成される。
【００９１】
識別情報（ＩＤ１）１３０４は、スイッチ１８０をオンしようとするアクティブタグ１１００を特定するために用いられる。
ここで、プリアンブル（ＰＲ）１３０１は、スイッチオン信号の始まりを示すビット列（同期符号）であり、ユニークワード（ＵＷ）１３０２は、いわゆるフレーム同期信号である。また、誤り検出符号（ＣＲＣ）１３０５は、アクティブタグ１１００側で受信した起動信号に誤りが発生しているか否かを検出するためのビット列である。そして、スイッチオンパターン（ＤＯＮ）１３０３は、ＬＦ信号が制御回路１１１０にスイッチ１８０をオンさせるためのスイッチオン信号であることを識別するためのビット列である。なお、リーダ１２００の識別情報（ＩＤ１）１３０４は、第１の実施の形態と同様に、リーダ１２００の制御回路１１１０に含まれるメモリ（図示せず）に予め記憶されている。
【００９２】
２．４  動作
本実施の形態に係るアクティブタグ１１００の動作について、図１０及び図１１に基づいて説明する。
【００９３】
本実施の形態に係るアクティブタグ１１００の動作は、第１の実施の形態で示すアクティブタグ１０と略同様であり、図１０及び図１１における破線で囲んだ部分のみが第１の実施の形態と相違する。
【００９４】
以下において、アクティブタグ１１００の動作と個人認証システム２の動作とに分けて説明する。
（１）アクティブタグ１１００の動作
ここでは、アクティブタグ１１００の動作について、図１０に示す流れ図を用いて説明する。
【００９５】
アクティブタグ１１００に熱が加わると、熱電力変換回路１１７０からＬＦ受信回路１１２０及び制御回路１１１０に電力が供給され、ＬＦ受信回路１１２０及び制御回路１１１０が起動する（ステップＳ５１）。
【００９６】
その後、ＬＦ受信回路１１２０は、リーダ１２００からアンテナＡ１１を介してＬＦ信号をいつでも受信できる状態で待機する（ステップＳ５２）。ここで、スイッチ１８０は、オフ状態で維持されている。
【００９７】
リーダ１２００からＬＦ信号を受信すると（ステップＳ５２における「Ｙｅｓ」）、ＬＦ受信回路１１２０の起動制御部１１２１は、ＬＦ信号がスイッチオン信号であるか否かを判断する（ステップＳ５３）。具体的には、起動制御部１１２１は、受信したＬＦ信号にスイッチオンパターンＤＯＮが含まれるか否かを判断する。
【００９８】
受信したＬＦ信号がスイッチオン信号でないと判断すると（ステップＳ５３における「Ｎｏ」）、処理はステップＳ５２に移行し、再び、ＬＦ信号の受信待ち状態となる。
一方、受信したＬＦ信号がスイッチオン信号であると判断すると（ステップＳ５３における「Ｙｅｓ」）、起動制御部１１２１は、スイッチオンコマンドを制御回路１１１０に通知し、制御回路１１１０がスイッチ１８０をオンする（ステップＳ５４）。
【００９９】
そして、ＬＦ受信回路１１２０は、リーダ１２００からアンテナＡ１１を介してＬＦ信号をいつでも受信できる状態で待機する（ステップＳ５５）。
ＬＦ信号を受信した場合（ステップＳ５５における「Ｙｅｓ」）、起動制御部１１２１は、受信したＬＦ信号が起動信号である否かを判断する（ステップＳ５６）。具体的には、起動制御部１１２１は、受信したＬＦ信号に起動パターンＷＡＫＥが存在するか否かを判断する。
【０１００】
ＬＦ信号が起動信号であると判断する場合（ステップＳ５６における「Ｙｅｓ」）、起動制御部１１２１は、ＵＨＦ送信回路１４０を起動する（ステップＳ５７）。制御回路２１０は既に起動しているので、当該ステップで起動させる必要はない。
【０１０１】
続いて、制御回路１１１０は、アクティブタグ１１００の識別情報をＵＨＦ送信回路１４０に入力する。ＵＨＦ送信回路１４０は、入力された識別情報を用いて変調したＵＨＦ帯の識別信号をリーダ１２００に送信する（ステップＳ５８）。
【０１０２】
ＵＨＦ送信回路１４０は、ＵＨＦ信号の送信が完了すると、送信完了信号を起動制御部１１２１に入力する。そして、起動制御部１１２１は、送信完了信号が入力されると、ＵＨＦ送信回路１４０を再び停止させる（ステップＳ５９）。その後、処理は、ステップＳ５５に移行する。ここで、制御回路１１１０は、スイッチ１８０をオン状態に維持しておくために起動させておく必要があるので、当該ステップにおいて停止はさせない。
【０１０３】
一方、ＬＦ信号が起動信号でないと判断する場合（ステップＳ５６における「Ｎｏ」）、起動制御部１１２１は、受信したＬＦ信号がスイッチオフ信号であるか否かを判断する（ステップＳ６０）。具体的には、起動制御部１１２１は、受信したＬＦ信号にスイッチオフパターンＤＯＦＦが存在するか否かを判断する。
【０１０４】
ＬＦ信号がスイッチオフ信号でないと判断する場合（ステップＳ６０における「Ｎｏ」）、処理は、ステップＳ５５に移行する。
一方、ＬＦ信号がスイッチオフ信号であると判断する場合（ステップＳ６０における「Ｙｅｓ」）、起動制御部１１２１は、制御回路１１１０にスイッチオフコマンドを入力する。そして、制御回路１１１０は、スイッチ１８０への電圧入力を停止することによりスイッチ１８０をオフにする（ステップＳ６１）。
【０１０５】
（２）個人認証システム２の動作
ここでは、個人認証システム２の動作概要について、図１１に示す流れ図を用いて説明する。
【０１０６】
アクティブタグ１１００は、製造完了時においてはスイッチ１８０はオフの状態となっている。アクティブタグ１１００は、あるタイミングで熱が加えられると、図１０で示すステップＳ５１の動作により、ＬＦ受信回路１１２０及び制御回路１１１０が起動する（Ｔ５１）。
【０１０７】
また、リーダ１２００は、ＬＦ帯のスイッチオン信号を生成するとともに、常にアンテナＡ２１を介して外部に当該スイッチオン信号を送出している（Ｔ１５１）。
アクティブタグ１１００の所持者が、リーダ１２００からのＬＦ信号（スイッチオン信号）の到達範囲内に侵入することにより、ＬＦ受信回路１１２０がスイッチオン信号を受信すると、図１０に示すステップＳ５２からＳ５４の動作により、スイッチ１８０はオンとなる（Ｔ５２）。
【０１０８】
また、リーダ１２００は、ＬＦ帯の起動信号を生成するとともに、常にアンテナＡ２１を介して外部に当該起動信号を送出している（Ｔ１５２）。このとき、アクティブタグ１１００の所持者が、リーダ１２００からのＬＦ信号（起動信号）の到達範囲内に侵入すると、ＬＦ受信回路１１２０が、起動信号を受信する。
【０１０９】
アクティブタグ１１００のＬＦ受信回路１１２０が起動信号受信すると、図１０に示すステップＳ５５からＳ５７の動作により、ＵＨＦ送信回路１４０が起動される（Ｔ５３）。
【０１１０】
アクティブタグ１１００は、図１０に示すステップＳ５８の動作により、識別信号をアンテナＡ１１を介して外部（リーダ１２００）に送信する。そして、送信が完了すると、図１０に示すステップＳ５９の動作により、ＵＨＦ送信回路１４０が停止される（Ｔ５４）。
【０１１１】
また、リーダ１２００では、識別信号を受信すると、認証処理を行う（Ｔ１５３）。そして、認証に成功すると、アクティブタグ１１００の所持者が入室を許可できる者であると特定して、ドアを開ける。認証に失敗すると、アクティブタグ１１００の所持者が入室を許可できる者ではないと特定して、ドアを閉めたままの状態にする。
【０１１２】
その後、ユーザ操作により、リーダ１２００は、スイッチオフ信号を生成し、アンテナＡ２１を介して外部に送信する（Ｔ１５４）。
アクティブタグ１１００は、スイッチオフ信号を受信すると、図１０に示すステップＳ６０、Ｓ６１の動作により、スイッチ１８０がオフの状態になる（Ｔ５５）。
【０１１３】
２．５  まとめ
以上により、本実施の形態に係るアクティブタグ１１００は、製造が完了してからアクティブタグ１１００に熱が加わっただけでは、ＬＦ受信回路１１２０及び制御回路１１１０を起動させるだけで、スイッチ１８０はオンしない。
【０１１４】
従って、アクティブタグ１１００の製造後、意図しない熱がアクティブタグ１１００に加わってしまった場合であっても、直ちにはスイッチ１８０がオンしないので、電池１５０の消耗を防ぐことができる。
【０１１５】
３．第３の実施の形態
３．１  概要
本実施の形態に係るアクティブタグ２１００では、熱が加わると、まず、ＬＦ受信回路２１２０だけを起動し、ＬＦ受信回路２１２０がスイッチオン信号を受信するまでスイッチ１８０をオフ状態で維持する。これにより、意図しない熱がアクティブタグ２１００に加わってしまって場合であっても、電池の消耗を抑制することができる。
【０１１６】
３．２  構成
以下、本実施の形態に係るアクティブタグ２１００を含んで構成される個人認証システム３の概略を図１２に示す。以下の説明において、第１及び第２の実施の形態と同様の構成要素については、同一の符号を付し、その説明を省略する。
【０１１７】
個人認証システム３は、図１２に示すように、アクティブタグ２１００とリーダ２２００とから構成される。ここで、リーダ２２００は、第２の実施の形態と同様に、起動信号、スイッチオフ信号及びスイッチオン信号を発信する。また、アクティブタグ１１００は、第２の実施の形態で示すアクティブタグ１１００と同様に、起動信号を受信すると識別信号を送信し、スイッチオフ信号を受信するとスイッチ１８０をオフの状態にし、スイッチがオフの状態であって熱により電圧が発生しているときにスイッチオン信号を受信するとスイッチをオンの状態にする。
【０１１８】
なお、リーダ２２００は、第１及び第２の実施の形態と同様に、壁などに設置され、電力は外部電源（図示せず）から供給されている。また、アクティブタグ２１００は、内蔵する電池１５０を電源とする。
【０１１９】
なお、本実施の形態で扱う起動信号、識別信号、スイッチオフ信号及びスイッチオン信号の構成は、第１及び第２の実施の形態と同様なので説明を省略する。
（１）アクティブタグ２１００
アクティブタグ２１００は、図１２に示すように、制御回路１１０と、ＬＦ受信回路２１２０と、ＵＨＦ送信回路１４０と、電池１５０と、スイッチ制御回路２１６０と、熱電力変換回路２１７０と、スイッチ１８０とを含んで構成される。
【０１２０】
以下、第１及び第２の実施の形態とは異なるＬＦ受信回路１１２０と、スイッチ制御回路２１６０と、熱電力変換回路２１７０とについて説明する。
（１−１）熱電力変換回路２１７０
熱電力変換回路２１７０は、第１及び第２の実施の形態で示す熱電力変換回路１７０、１１７０と同様に、熱電対とコンデンサとで構成されている。
【０１２１】
第１及び第２の実施の形態と異なる点は、電圧の入力先、つまり電力の供給先であり、熱電力変換回路２１７０により発生した起電力は、ＬＦ受信回路２１２０に供給される。
したがって、アクティブタグ２１００に熱が加えられることによりＬＦ受信回路２１２０が起動されることとなる。
【０１２２】
（１−２）ＬＦ受信回路２１２０
ＬＦ受信回路２１２０は、リーダ２２００から送信されるＬＦ信号を受信する。ここで、ＬＦ受信回路２１２０は、アンテナＡ１１を介してリーダ２２００から受信したＬＦ信号を復調して起動信号やスイッチオフ信号やスイッチオン信号を取得する。
【０１２３】
ＬＦ受信回路２１２０は、図１２に示すように、起動制御部２１２１を含んで構成されている。
第１の実施の形態と異なる点は、配線Ｌｏｆｆに加えて、配線Ｌｏｎがスイッチ制御回路に接続されていることである。ここで、配線Ｌｏｎは、図4に示す端子Ｔｅ１１、Ｔｅ１２と接続されている。なお、配線Ｌｏｆｆは、第１の実施の形態と同様に、図4に示す端子Ｔｅ１２、Ｔｅ１３と接続されている。
【０１２４】
起動制御部２１２１は、取得したＬＦ信号に対して誤まり検出処理が行われた後に、当該ＬＦ信号の中に起動信号を示す起動パターンＷＡＫＥやスイッチオフ信号を示すスイッチオフパターンＤＯＦＦやスイッチオン信号を示すスイッチオンパターンＤＯＮが存在するか否かを確認するものである。
【０１２５】
ここで、起動制御部２１２１は、ＬＦ信号の中に起動パターンＷＡＫＥが存在すると認識した場合には、第１の及び第２の実施の形態と同様の動作を行う。
また、起動制御部２１２１は、ＬＦ信号の中にスイッチオフパターンＤＯＦＦが存在すると認識すると、ＬＦ信号がスイッチオフ信号であると認識し、スイッチ制御回路２１６０に対して配線Ｌｏｆｆを介して電圧を入力する。
【０１２６】
起動制御部２１２１は、アクティブタグ２１００に熱が加わり、ＬＦ受信回路２１２０が起動した後、スイッチオン信号を受信すると、スイッチ制御回路２１６０に対して配線Ｌｏｎを介して電圧を入力する。
【０１２７】
（１−３）スイッチ制御回路２１６０
スイッチ制御回路２１６０は、第１の実施の形態で示すスイッチ制御回路１６０と同様に、ＡＳＩＣにより構成されている。
【０１２８】
スイッチ制御回路２１６０は、ＬＦ受信回路２１２０の起動制御部２１２１から配線Ｌｏｎを介して電圧が入力されると、ＬＦ受信回路２１２０から出力される電圧をそのままスイッチ１８０に入力し、スイッチ１８０をオンにする。また、スイッチ制御回路２１６０は、スイッチ１８０がオンすると電池１５０からの電圧が入力されるように構成されており、その機能は第１の実施の形態と同様であるので、ここでの説明は省略する。
【０１２９】
また、スイッチ制御回路２１６０は、起動制御部２１２１から配線Ｌｏｆｆを介して電圧が入力されると、スイッチ１８０への電圧入力を停止してスイッチ１８０をオフ状態にする。
【０１３０】
３．３  動作
本実施の形態に係るアクティブタグ２１００の動作について、図１３及び図１４に基づいて説明する。
【０１３１】
本実施の形態に係るアクティブタグ２１００の動作は、第１の実施の形態と略同様であり、図１３及び図１４における破線で囲んだ部分のみが第１の実施の形態と相違する。
以下において、アクティブタグ２１００の動作と個人認証システム３の動作とに分けて説明する。
【０１３２】
（１）アクティブタグ２１００の動作
ここでは、アクティブタグ２１００の動作について、図１３に示す流れ図を用いて説明する。
【０１３３】
アクティブタグ２１００に熱が加わると、熱電力変換回路２１７０からＬＦ受信回路２１２０に電力が供給され、ＬＦ受信回路２１２０が起動する（ステップＳ２５１）。
その後、ＬＦ受信回路２１２０は、リーダ２２００からアンテナＡ１１を介してＬＦ信号をいつでも受信できる状態で待機する（ステップＳ２５２）。ここで、スイッチ１８０は、オフ状態で維持されている。
【０１３４】
リーダ２２００からＬＦ信号を受信すると（ステップＳ２５２における「Ｙｅｓ」）、ＬＦ受信回路２１２０の起動制御部１１２１は、ＬＦ信号がスイッチオン信号であるか否かを判断する（ステップＳ２５３）。具体的には、起動制御部２１２１は、受信したＬＦ信号にスイッチオンパターンＤＯＮが含まれるか否かを判断する。
【０１３５】
受信したＬＦ信号がスイッチオン信号でないと判断すると（ステップＳ２５３における「Ｎｏ」）、処理はステップＳ２５２に移行し、再び、ＬＦ信号の受信待ち状態となる。
一方、受信したＬＦ信号がスイッチオン信号であると判断すると（ステップＳ２５３における「Ｙｅｓ」）、起動制御部２１２１は、配線Ｌｏｎを介してスイッチ制御回路２１６０に電圧を入力する。そして、スイッチ制御回路２１６０のトランジスタＴｒ１がターンオンし、スイッチ制御回路２１６０からスイッチ１８０に電圧が入力され（ステップＳ２５４）、スイッチ１８０がオン状態になる（ステップＳ２５５）。
【０１３６】
ＬＦ受信回路２１２０は、リーダ２２００からアンテナＡ１１を介してＬＦ信号をいつでも受信できる状態で待機する（ステップＳ２５６）。
ＬＦ信号を受信した場合（ステップＳ２５６における「Ｙｅｓ」）、起動制御部２１２１は、受信したＬＦ信号が起動信号である否かを判断する（ステップＳ２５７）。具体的には、起動制御部２１２１は、受信したＬＦ信号に起動パターンＷＡＫＥが存在するか否かを判断する。
【０１３７】
ＬＦ信号が起動信号であると判断する場合（ステップＳ２５７における「Ｙｅｓ」）、起動制御部２１２１は、制御回路１１０及びＵＨＦ送信回路１４０を起動する（ステップＳ２５８）。
【０１３８】
続いて、制御回路１１０は、アクティブタグ２１００の識別情報をＵＨＦ送信回路１４０に入力する。ＵＨＦ送信回路１４０は、入力された識別情報を用いて変調したＵＨＦ帯の識別信号をリーダ２２００に送信する（ステップＳ２５９）。
【０１３９】
ＵＨＦ送信回路１４０は、ＵＨＦ信号の送信が完了すると、送信完了信号を起動制御部２１２１に入力する。そして、起動制御部２１２１は、送信完了信号が入力されると、制御回路１１０及びＵＨＦ送信回路１４０を再び停止させる（ステップＳ２６０）。その後、処理は、ステップＳ２５６に移行する。
【０１４０】
一方、ＬＦ信号が起動信号でないと判断する場合（ステップＳ２５７における「Ｎｏ」）、起動制御部２１２１は、受信したＬＦ信号がスイッチオフ信号であるか否かを判断する（ステップＳ２６１）。具体的には、起動制御部２１２１は、受信したＬＦ信号にスイッチオフパターンＤＯＦＦが存在するか否かを判断する。
【０１４１】
ＬＦ信号がスイッチオフ信号でないと判断する場合（ステップＳ２６１における「Ｎｏ」）、処理は、ステップＳ２５６に移行する。
一方、ＬＦ信号がスイッチオフ信号であると判断する場合（ステップＳ２６１における「Ｙｅｓ」）、起動制御部２１２１は、スイッチ制御回路２１６０にスイッチオフコマンドを入力する。そして、スイッチ制御回路２１６０は、スイッチ１８０への電圧入力を停止することによりスイッチ１８０をオフにする（ステップＳ２６２）。
【０１４２】
（２）個人認証システム３の動作
ここでは、個人認証システム３の動作概要について、図１４に示す流れ図を用いて説明する。
【０１４３】
アクティブタグ２１００は、製造完了時においてはスイッチ１８０はオフの状態となっている。アクティブタグ２１００は、あるタイミングで熱が加えられると、図１３で示すステップＳ２５１の動作により、ＬＦ受信回路２１２０が起動する（Ｔ２５１）。
【０１４４】
また、リーダ２２００は、ＬＦ帯のスイッチオン信号を生成するとともに、常にアンテナＡ２１を介して外部に当該スイッチオン信号を送出している（Ｔ２１５１）。
アクティブタグ２１００の所持者が、リーダ２２００からのＬＦ信号（スイッチオン信号）の到達範囲内に侵入することにより、ＬＦ受信回路２１２０がスイッチオン信号を受信すると、図１３に示すステップＳ２５２からＳ２５５の動作により、スイッチ１８０はオンとなる（Ｔ２５２）。
【０１４５】
また、リーダ２２００は、ＬＦ帯の起動信号を生成するとともに、常にアンテナＡ２１を介して外部に当該起動信号を送出している（Ｔ２１５２）。このとき、アクティブタグ２１００の所持者が、リーダ２２００からのＬＦ信号（起動信号）の到達範囲内に侵入すると、ＬＦ受信回路２１２０が、起動信号を受信する。
【０１４６】
アクティブタグ２１００のＬＦ受信回路２１２０が起動信号受信すると、図１３に示すステップＳ２５６からＳ２５８の動作により、制御回路１１０及びＵＨＦ送信回路１４０が起動される（Ｔ２５３）。
【０１４７】
アクティブタグ２１００は、図１３に示すステップＳ２５９の動作により、識別信号をアンテナＡ１１を介して外部（リーダ２２００）に送信する。そして、送信が完了すると、図１３に示すステップＳ２６０の動作により、制御回路１１０及びＵＨＦ送信回路１４０が停止される（Ｔ２５４）。
【０１４８】
また、リーダ２２００では、識別信号を受信すると、認証処理を行う（Ｔ２１５３）。そして、認証に成功すると、アクティブタグ２１００の所持者が入室を許可できる者であると特定して、ドアを開ける。認証に失敗すると、アクティブタグ２１００の所持者が入室を許可できる者ではないと特定して、ドアを閉めたままの状態にする。
【０１４９】
その後、ユーザ操作により、リーダ２２００は、スイッチオフ信号を生成し、アンテナＡ２１を介して外部に送信する（Ｔ２１５４）。
アクティブタグ２１００は、スイッチオフ信号を受信すると、図１３に示すステップＳ２６１、Ｓ２６２の動作により、スイッチ１８０がオフの状態になる（Ｔ２５５）。
【０１５０】
３．４  まとめ
以上により、本実施の形態に係るアクティブタグ２１００は、製造が完了してからアクティブタグ２１００に熱が加わっただけでは、ＬＦ受信回路２１２０を駆動させるだけで、スイッチ１８０はオンしない。
【０１５１】
従って、アクティブタグ２１００の製造後、意図しない熱がアクティブタグ２１００に加わってしまった場合であっても、直ちにはスイッチ１８０がオンしないので、電池１５０の消耗を防ぐことができる。
【０１５２】
また、スイッチ制御回路１１６０は、多用途の制御回路１１１０に比べて消費電力を低減させることができる。従って、スイッチ１８０をオンさせる際、制御回路１１０を起動させず、スイッチ制御回路１１６０のみを起動させればよいので、消費電力の低減を図ることができる。
【０１５３】
４．変形例
以上、実施の形態に基づいて説明したが、本発明は上記の実施に限られない。例えば、以下のような変形例が考えられる。
【０１５４】
（１）上記各実施の形態に係るアクティブタグの熱電力変換回路は、熱電対の構成をなしているとしたが、これに限定されない。
熱電力変換回路は、温度差を起電力とする回路であればよい。
【０１５５】
（２）上記各実施の形態に係るアクティブタグでは、制御回路及びＵＨＦ送信回路が、電池から供給される電力により駆動する例について説明したが、これに限定されるものではない。例えば、熱電力変換回路から出力される電力を蓄電しておく蓄電部（図示せず）と、制御回路及びＵＨＦ送信回路への電力の供給元を電池と蓄電部とで切り替える切替スイッチ（図示せず）とを備えるものであってもよい。
【０１５６】
本変形例によれば、切替スイッチにより電力の供給元を電池１５０から蓄電部に適宜切り替えることにより、電池１５０の消費を低減することができる。
なお、本変形例では、制御回路及びＵＨＦ送信回路への電力の供給元を切り替えを、リーダから送信される制御信号により行うようにしてもよい。これにより、アクティブタグ本体に、切替スイッチを設ける必要がなくなるので、装置構成の簡素化を図ることができる。
【０１５７】
（３）上記各実施の形態では、起動信号に起動パターンのみが含まれる例について説明したが、これに限定されるものではない。例えば、起動信号を送信する期間や回数などを含むものであってもよい。
【０１５８】
この場合、起動制御部が、起動信号から送信時間等を取り出し、制御回路に指示することになる。
（４）上記各実施の形態では、スイッチ１８０は光ＭＯＳリレーにより構成されるものとして説明したが、これに限定されるものではない。光ＭＯＳリレー以外のソリッドステートリレーにより構成されてもよい。
【０１５９】
（５）上記各実施の形態では、アクティブタグの各構成が別個の回路で構成される例について説明したが、これに限定されるものではない。
例えば、アクティブタグの複数の構成の全部又は一部を、１チップ又は複数チップの集積回路で実現してもよい。
【０１６０】
これにより、アクティブタグの小型化を図ることができる。
（６）上記各実施の形態で説明した制御回路、ＬＦ受信回路及びＵＨＦ送信回路を含む各回路の機能を実現するための処理をＣＰＵに実行させる為のプログラムは、記録媒体に記録して頒布することもできる。この記録媒体としては、ＩＣカード、光ディスク、フレキシブルディスク、ＲＯＭ、フラッシュメモリ等がある。頒布されたプログラムは、機器におけるＣＰＵで読み取り可能なメモリ等に格納され、その機器のＣＰＵがそのプログラムを実行することにより各実施の形態で示した各機能を実現できる。
【０１６１】
（７）上記実施の形態及び上記変形例をそれぞれ組み合わせるとしてもよい。
【符号の説明】
【０１６２】
１、２、３    個人認証システム
１０、１１００、２１００    アクティブタグ
２０、１２００、２２００    リーダ
１００、１１１０、    回路基板
１１０    制御回路
１２０、１１２０、２１２０    ＬＦ受信回路
１２１、１１２１、２１２１    起動制御部
１４０    ＵＨＦ送信回路
１５０    電池
１６０、１１６０、２１６０    スイッチ制御回路
１７０、１１７０、２１７０    熱電力変換回路
１８０    スイッチ
２１０、１２１０    制御回路
２２０、１２２０    ＬＦ送信回路
２３０    ＵＨＦ受信回路
【図１】
2012133549.tif 000003
【図２】
2012133549.tif 000004
【図３】
2012133549.tif 000005
【図４】
2012133549.tif 000006
【図５】
2012133549.tif 000007
【図６】
2012133549.tif 000008
【図７】
2012133549.tif 000009
【図８】
2012133549.tif 000010
【図９】
2012133549.tif 000011
【図１０】
2012133549.tif 000012
【図１１】
2012133549.tif 000013
【図１２】
2012133549.tif 000014
【図１３】
2012133549.tif 000015
【図１４】
2012133549.tif 000016